(57)【要約】【課題】電子式ビューファインダー装置の使い勝手を損なうことなく、コストを低減し小型化を図る上で有利な撮像装置を提供することにある。【解決手段】筐体１２と電子式ビューファインダー装置１４との間に、電子式ビューファインダー装置１４を支持する支持機構６４が設けられている。支持機構６４は、電子式ビューファインダー装置１４を、収容凹部１３に収容した収容位置Ｐ０と、収容位置Ｐ０から筐体１２の後方に突出した第１の突出位置Ｐ１との間で移動可能に支持する。また、支持機構６４は、第１の突出位置Ｐ１と、第１の突出位置Ｐ１から電子式ビューファインダー装置１４の前部を支点として後部が上昇した第２の突出位置Ｐ２との間で揺動可能に支持する。【選択図】図３
2010109454.tif 000002
【特許請求の範囲】
【請求項１】
筐体と電子式ビューファインダー装置とを備え、
前記電子式ビューファインダー装置は、前記筐体に設けられた収容凹部に配置され、
前記筐体と前記電子式ビューファインダー装置との間に、前記電子式ビューファインダー装置を、前記収容凹部に収容した収容位置と、前記収容位置から前記筐体の後方に突出した第１の突出位置との間で移動可能に支持し、かつ、前記第１の突出位置と、前記第１の突出位置から前記電子式ビューファインダー装置の前部を支点として後部が上昇した第２の突出位置との間で揺動可能に支持する支持機構が設けられている、
撮像装置。
【請求項２】
電子式ビューファインダー装置はビューファインダー用ケースを有し、
前記支持機構は、
前記ビューファインダー用ケースの前部の左右側面に互いに上下に間隔をおいて設けられた上側ガイドピンおよび下側ガイドピンと、
前記収容凹部に前後に延在して設けられ前記上側ガイドピンを前後に案内する上側ガイド溝と、
前記収容凹部に前後に延在して設けられ前記下側ガイドピンを前後に案内する下側ガイド溝と、
前記収容凹部に設けられ前記下側ガイド溝の後端に接続され後方に至るにつれて上昇し揺動用ガイド溝とを含んで構成され、
前記上側ガイドピン、下側ガイドピン、上側ガイド溝、下側ガイド溝により、電子式ビューファインダー装置の前記収容位置と前記第１の突出位置との間での移動をガイドし、
前記上側ガイドピン、下側ガイドピン、上側ガイド溝の後端、揺動用ガイド溝により、電子式ビューファインダー装置の前記第１の突出位置と第２の突出位置との間での揺動をガイドする、
請求項１記載の撮像装置。
【請求項３】
前記筐体は、前記収容凹部に設けられた板金製のフレームを含んで構成され、
前記上側ガイド溝、前記下側ガイド溝、前記揺動用ガイド溝は前記フレームに設けられている、
請求項２記載の撮像装置。
【請求項４】
前記ビューファインダー用ケースは、合成樹脂製のケース本体と、前記ケース本体に設けられた板金製のフレームを含んで構成され、
前記上側ガイドピンおよび前記下側ガイドピンは前記フレームに設けられている、
請求項２記載の撮像装置。
【請求項５】
前記上側ガイド溝の下縁の後端には、前記電子式ビューファインダー装置の前記第１の突出位置と第２の突出位置との間での揺動を円滑に行うための凹部が設けられている、
請求項２記載の撮像装置。
【請求項６】
電子式ビューファインダー装置はビューファインダー用ケースを有し、
前記収容凹部は、前記筐体の上部かつ後部に設けられ、
前記収容凹部は、後方に開放状の孔部と、前記孔部に繋がり上方および後方に開放状の溝部とを有し、
前記ビューファインダー用ケースは、前記収容位置で、前記孔部に挿入される前部と、前記溝部に収容される後部とを有している、
請求項１記載の撮像装置。
【請求項７】
前記孔部の上方に位置する前記筐体の上面の後端と、前記ビューファインダー用ケースの前記後部の上面の前端とは、前記収容位置において連続した面を形成する、
請求項６記載の撮像装置。
【請求項８】
前記ビューファインダー用ケースの前記前部は、前記第１の突出位置で、前記前部の前端が前記孔部の内部に位置する前後長さを有している、
請求項６記載の撮像装置。
【発明の詳細な説明】
【技術分野】
【０００１】
本発明は電子式ビューファインダー装置を備えた撮像装置に関する。
【背景技術】
【０００２】
ビデオカメラなどの撮像装置として、電子式ビューファインダー装置を備えたものが提供されている。
電子式ビューファインダー装置は、撮像装置で撮像された画像を視認するためのものである。
このような撮像装置として、電子式ビューファインダー装置が、撮像装置の筐体に対して前後にスライド可能かつ上下に揺動可能に設けられたものが提供されている（特許文献１参照）。
この電子式ビューファインダー装置は、筐体上で前方位置と後方位置との間で前後にスライド可能に設けられている。
また、電子式ビューファインダー装置は、前方位置および後方位置の何れの位置にあっても上下に揺動可能となるように構成されている。
【特許文献１】特開２０００−１８８７０４号公報
【発明の開示】
【発明が解決しようとする課題】
【０００３】
しかしながら、従来の撮像装置では、電子式ビューファインダー装置を前方位置および後方位置の双方においても上下に揺動可能に支持することからその支持機構が複雑なものとなっている。
したがって、支持機構の構成が複雑で部品点数も多く撮像装置のコストを低減し小型化を図る上で不利があった。
本発明はこのような事情に鑑みなされたものであり、その目的は、電子式ビューファインダー装置の使い勝手を損なうことなく、コストを低減し小型化を図る上で有利な撮像装置を提供することにある。
【課題を解決するための手段】
【０００４】
上述の目的を達成するため、本発明の撮像装置は、筐体と電子式ビューファインダー装置とを備え、前記電子式ビューファインダー装置は、前記筐体に設けられた収容凹部に配置され、前記筐体と前記電子式ビューファインダー装置との間に、前記電子式ビューファインダー装置を、前記収容凹部に収容した収容位置と、前記収容位置から前記筐体の後方に突出した第１の突出位置との間で移動可能に支持し、かつ、前記第１の突出位置と、前記第１の突出位置から前記電子式ビューファインダー装置の前部を支点として後部が上昇した第２の突出位置との間で揺動可能に支持する支持機構が設けられている。
【発明の効果】
【０００５】
そのため、本発明によれば、電子式ビューファインダー装置が、収容位置から第１の突出位置に引き出された状態でのみ電子式ビューファインダー装置が第１の突出位置と第２の突出位置との間で上下に揺動するように構成されている。
したがって、電子式ビューファインダー装置の支持機構の構造を簡素化でき、撮像装置のコスト低減および小型化を図る上で有利となる。
【発明を実施するための最良の形態】
【０００６】
次に本発明の実施の形態について図面を参照して説明する。
図１は電子式ビューファインダー装置１４が収容位置Ｐ０にある実施の形態の撮像装置１０を示す斜視図である。
図２は電子式ビューファインダー装置１４が第１の突出位置Ｐ１にある実施の形態の撮像装置１０を示す斜視図である。
図３は電子式ビューファインダー装置１４が第２の突出位置Ｐ２にある実施の形態の撮像装置１０を示す斜視図である。
図４は電子式ビューファインダー装置１４が第２の突出位置Ｐ２にある状態でディスプレイパネル２２の表示面２２０２を被写体側に向けた撮影状態を示す斜視図である。
【０００７】
図１に示すように、本実施の形態の撮像装置１０はビデオカメラである。
撮像装置１０は、筐体１２と、筐体１２に設けられた電子式ビューファインダー装置１４を備えている。
筐体１２は、左右方向の幅よりも大きな寸法の前後方向の長さおよび上下方向の高さを有している。なお、本明細書において左右は、撮像装置１０を後方から見た状態でいうものとし、また、撮像光学系１６の光軸方向で被写体側を前方といい、撮像素子側を後方という。
筐体１２の上部の前部には、撮像光学系１６が組み込まれた鏡筒１８が前後に延在し、その前部が筐体１２の前面に臨むように設けられている。撮像光学系１６はズームレンズを有し、ズーム率が連続的に可変できるように構成されている。
筐体１２の上部かつ後部に、電子式ビューファインダー装置１４のビューファインダー用ケース６２を収容する収容凹部１３が設けられている。
収容凹部１３は、後方に開放状の孔部１３Ａと、孔部１３Ａに繋がり上方および後方に開放状の溝部１３Ｂとを有している。
【０００８】
鏡筒１８の後端には撮像光学系１６によって導かれた被写体像を撮像する撮像素子２０（図５参照）が設けられている。
図４に示すように、筐体１２の左側部には、撮像素子２０によって撮像された被写体像などを表示面２２０２に表示するための例えば液晶表示装置からなる長方形の板状を呈するディスプレイパネル２２が設けられている。
ディスプレイパネル２２は、ヒンジ機構２４によって、上下方向に延在する第１軸線Ｌ１回りに揺動可能に（開閉可能に）、かつ、第１軸線Ｌ２と直交する第２軸線Ｌ２回りに揺動可能に筐体１２に連結されている。
したがって、図１は、ディスプレイパネル２２が表示面２２０２を筐体１２の左側面に重ねて閉じられた収容状態が描かれている。
また、図４は、収容状態にあるディスプレイパネル２２を第１軸線Ｌ１回りに揺動することで開き、さらに第２軸線Ｌ２回りに揺動することで表示面２２０２を前方（被写体側）に向けた状態が描かれている。
なお、図４において、符号２４は、筐体１２の左側面に設けられたスピーカを示す。
【０００９】
図４に示すように、筐体１２の右側部には、画像データや音声データを記録するハードディスク装置２６が設けられている。
筐体１２の上面前部には、音声を収音するためのマイクロフォン２８が設けられている。
筐体１２の右側部上面の後方寄りの箇所には、ズーム用操作レバー３０Ａ、静止画撮影用操作ボタン３０Ｂが設けられている。
また、図４には示されていないが、筐体１２の後面に、動画撮影用操作ボタン３０Ｃ（図５）、モード切り換え用操作ボタン３０Ｄ（図５）などの撮影にまつわる種々の機能を実行するための操作スイッチが設けられており、これらズーム用操作レバー３０Ａ、静止画撮影用操作ボタン３０Ｂ、動画撮影用操作ボタン３０Ｃ、モード切り換え用操作ボタン３０Ｄ、操作スイッチなどによって操作手段５６（図５）が構成されている。
【００１０】
次に撮像装置１０の制御系について説明する。
図５は撮像装置１０の制御系の構成を示すブロック図である。
図５に示すように、撮像装置１０は、前述したディスプレイパネル２２、マイクロフォン２８、スピーカ２４に加えて、表示部６０、映像信号用増幅回路３２、画像データ処理部３４、マイクロフォン用増幅回路３６、音声データ処理回路３８、出力用増幅回路４０、記録再生回路４２、コントロール回路４４、ハードディスク装置２６、ドライブ回路４６、インターフェース回路４８、メモリカード用スロット５０、ズーム駆動部５２、電源スイッチ５４、５５などを含んで構成されている。
【００１１】
撮像素子２０で生成された撮像信号は映像信号用増幅回路３２で増幅され、画像データ処理部３４に供給される。
画像データ処理部３４は、撮像信号に所定の信号処理を行うことで、動画データおよび静止画データを生成し、それらデータを記録再生回路４２に供給する。
マイクロフォン２８で収音された音声信号はマイクロフォン用増幅回路３６で増幅され、音声データ処理回路３８によって所定の信号処理がなされ音声データとして記録再生回路４２に供給される。
【００１２】
記録再生回路４２は、画像データ処理部３４から供給された動画データおよび静止画データや音声データ処理回路３８から供給された音声データをコントロール回路４４の制御にしたがって記録媒体としてのハードディスク装置２６に記録する。
本実施の形態では、動画データ、静止画データ、音声データを記録する記録媒体としてハードディスク装置２６を用いたが、記録媒体として何を用いるかは任意である。
例えば、記録媒体として、ＤＶＤ−Ｒなどの光ディスク、ＤＶＤ−Ｒ以外の光ディスク、あるいは、光磁気ディスクなどのディスク状記録媒体、あるいは磁気テープなどの磁気記録媒体などの従来公知の記録媒体を用いることができる。
【００１３】
また、記録再生回路４２は、画像データ処理部３４から供給された動画データおよび静止画データや音声データ処理回路３８から供給された音声データをインターフェース回路４８を介してメモリカード用スロット５０に装着された記録媒体としてのメモリカード２に記録する。
また、記録再生回路４２は、画像データ処理部３４から供給された動画データおよび静止画データを、ドライブ回路４６を介してディスプレイパネル２２および表示部６０に供給して画像の表示を行わせる。
また、記録再生回路４２は、インターフェース回路４８を介してメモリカード２から供給される動画データおよび静止画データを、ドライブ回路４６を介してディスプレイパネル２２および表示部６０に供給して画像の表示を行わせるとともに、インターフェース回路４８を介してメモリカード２から供給される音声データを出力用増幅回路４０を介してスピーカ２４に供給して音声の出力を行わせる。
また、記録再生回路４２は、ハードディスク装置２６から再生された動画データおよび静止画データを、ドライブ回路４６を介してディスプレイパネル２２および表示部６０に供給して画像の表示を行わせるとともに、ハードディスク装置２６から再生された音声データを出力用増幅回路４０を介してスピーカ２４に供給して音声の出力を行わせる。
【００１４】
コントロール回路４４は、２つの電源スイッチ５４、５５の動作に基づいて撮像装置１０の電源のオン、オフを行う。
本実施の形態では、２つの電源スイッチのうち一方の電源スイッチ５４は、後述する電子式ビューファインダー装置１４の操作によってオン、オフ動作されるものである。
また、他方の電源スイッチ５５は、ディスプレイパネル２２のヒンジ機構２４に設けられ、ディスプレイパネル２２の開閉動作に連動してオン、オフ動作されるものである。
すなわち、コントロール回路４４は、２つの電源スイッチ５４、５５のうち何れか一方または双方がオンすると電源をオンする。また、２つの電源スイッチ５４、５５の双方がオフすると電源をオフする。
【００１５】
コントロール回路４４は、ズーム用操作レバー３０Ａの動作に基づいてズーム駆動部５２に指令を与えることにより、撮像光学系１６のズームレンズを移動させることにより、撮像光学系１６のズーム率を変化させる。
コントロール回路４４は、静止画撮影用操作ボタン３０Ｂの動作に基づいて画像データ処理部３４および記録再生回路４２に指令を与えることにより、画像データ処理部３４から画像データ処理部３４に供給される静止画データを記録再生回路４２からハードディスク装置２６に記録させる。言い換えると、静止画撮影用操作ボタン３０Ｂは、いわゆるシャッタボタンとして機能している。
コントロール回路４４は、動画撮影用操作ボタン３０Ｃの動作に基づいて動画データの記録の開始、記録の停止を行わせる。すなわち、コントロール回路４４は、動画撮影用スイッチ７８の動作に基づいて画像データ処理部３４および記録再生回路４２に指令を与えることにより、画像データ処理部３４から画像データ処理部３４に供給される動画データを記録再生回路４２を介してハードディスク装置２６に記録させる動作を開始させ、あるいは、その動作を停止させる。言い換えると、動画撮影用操作ボタン３０Ｃは、いわゆる撮影スタート／ストップの操作部材として機能している。
コントロール回路４４は、モード切り換え用操作ボタン３０Ｄの動作に基づいて画像データ処理部３４に指令を与えることにより、画像データ処理部３４によって動画データを生成させる動画撮影モードと、画像データ処理部３４によって静止画データを生成させる静止画撮影モードとを切り換える。
なお、動画撮影モードでは、画像データ処理部３４で生成された動画データが記録再生回路４２を介してハードディスク装置２６またはメモリカード２に記録され、静止画撮影モードでは、画像データ処理部３４で生成された静止画データが記録再生回路４２を介してハードディスク装置２６またはメモリカード２に記録される。
【００１６】
次に、実施の形態に係る電子式ビューファインダー装置１４について説明する。
図６はビューファインダー用ケース６２および支持機構６４の分解斜視図、図７は支持機構６４の分解斜視図、図８はフレーム７６の斜視図、図９はフレーム７８の斜視図、図１０は上側ガイドピン６６、下側ガイドピン６８の斜視図である。
図１１は収容位置Ｐ０におけるビューファインダー用ケース６２の斜視図、図１２は第１の突出位置Ｐ１におけるビューファインダー用ケース６２の斜視図、図１３は第２の突出位置Ｐ２におけるビューファインダー用ケース６２の斜視図である。
【００１７】
電子式ビューファインダー装置１４は、撮像素子２０によって撮像された被写体像を視認するためのものであり、図１、図４に示すように、電子式ビューファインダー装置１４は筐体１２の上面後部に設けられている。
図６に示すように、電子式ビューファインダー装置１４は、表示部６０（図５）と、光学系（不図示）と、ビューファインダー用ケース６２などを含んで構成されている。
表示部６０は、例えば液晶表示装置からなり長方形の板状を呈し、画像を表示する表示面を有している。
前記光学系は、表示部６０の表示面に表示される画像を拡大するものである。
それら表示部６０および前記光学系はビューファインダー用ケース６２に収容されている。
【００１８】
図６、図７に示すように、筐体１２と電子式ビューファインダー装置１４との間に、電子式ビューファインダー装置１４を支持する支持機構６４が設けられている。
支持機構６４は、電子式ビューファインダー装置１４を、収容凹部１３に収容した収容位置Ｐ０と、収容位置Ｐ０から筐体１２の後方に突出した第１の突出位置Ｐ１との間で移動可能に支持する。また、支持機構６４は、第１の突出位置Ｐ１と、第１の突出位置Ｐ１から電子式ビューファインダー装置１４の前部を支点として後部が上昇した第２の突出位置Ｐ２との間で揺動可能に支持する。
支持機構６４は、上側ガイドピン６６と、下側ガイドピン６８と、上側ガイド溝７０と、下側ガイド溝７２と、揺動用ガイド溝７４とを含んで構成されている。
【００１９】
より詳細に説明すると、図６、図７に示すように、ビューファインダー用ケース６２は、合成樹脂製のケース本体６２０２と、ケース本体６２０２に設けられた板金製のフレーム７６を含んで構成されている。
ケース本体６２０２は、前後に長い筒状を呈し、収容位置Ｐ０で、孔部１３Ａに挿入される前部６２Ａと、溝部１３Ｂに収容される後部６２Ｂとを有している。
前部６２Ａは、第１の突出位置Ｐ１で、前部６２Ａの前端が孔部１３Ａの内部に位置する前後長さを有している。
図１に示すように、電子式ビューファインダー装置１４の収容位置Ｐ０で、孔部１３Ａの上方に位置する筐体１２の上面の後端と、ビューファインダー用ケース６２の後部６２Ｂの上面の前端とは、連続した面を形成する。
図１１乃至図１３に示すように、フレーム７６は、ビューファインダー用ケース６２の前部に取着されている。
図７、図８に示すように、フレーム７６は、前部６２Ａの前端面に合わされる前板部７６Ａと、前板部７６Ａの左右両側に接続する左右の側板部７６Ｂとを有している。
フレーム７６は、前板部７６Ａの下端から屈曲された取り付け板部７６Ｃをねじにより前部６２Ａの底面に取着することによりビューファインダー用ケース６２に取り付けられている。
図１０に示す上側ガイドピン６６および下側ガイドピン６８は、図６に示すように、フレーム７６の左右の側板部７６Ｂに上下に間隔をおいて設けられている。
すなわち、上側ガイドピン６６および下側ガイドピン６８は、ビューファインダー用ケース６２の前部６２Ａの左右側面に互いに上下に間隔をおいて設けられている。
また、図７、図８に示すように、左右の側板部７６Ｂの後端に、後述するクリック機構を構成する凸部７６Ｄが設けられている。
【００２０】
図６、図７、図９に示すように、筐体１２は、収容凹部１３に設けられた板金製のフレーム７８を含んで構成されている。
フレーム７８は、収容凹部１３の底面に取着される底板部７８Ａと、底板部７８Ａの左右両側から起立する左右の側板部７８Ｂと、底面部７８Ａの前端から起立する前板部７８Ｃとを有している。
フレーム７８は、図９に示すように、前板部７８Ｃに設けられた取り付け片部７８Ｄと、左右の側板部７８Ｂに設けられた取り付け片部７８Ｅとがねじにより収容凹部１３に取着されることにより筐体１２に取り付けられている。
フレーム７８の底板部７８Ａの後部を除く部分と、左右の側板部７８Ｂの後部を除く部分と、前板部７８Ｃとは孔部１３Ａに配置され、左右の側板部７８Ｂの後部は溝部１３Ｂの左右側部に配置されている。
【００２１】
図６に示すように、上側ガイド溝７０は、上側ガイドピン６６を案内するもので、左右の側板部７８Ｂの上部で前後に延在して設けられている。
図６、図９に示すように、上側ガイド溝７０の下縁後端には、電子式ビューファインダー装置１４の第１の突出位置Ｐ１と第２の突出位置Ｐ２との間での揺動を円滑に行わせるための凹部７０が設けられている。
下側ガイド溝７２は、下側ガイドピン６８を案内するもので、左右の側板部７８Ｂの下部で前後に延在して設けられている。
下側ガイド溝７２の後端には、後方に至るにつれて上昇する揺動用ガイド溝７４が接続されている。
本実施の形態では、上側ガイドピン６６、下側ガイドピン６８、上側ガイド溝７０、下側ガイド溝７２により、電子式ビューファインダー装置１４の収容位置Ｐ０と第１の突出位置Ｐ１との間での移動をガイドする。
また、上側ガイドピン６６、下側ガイドピン６８、上側ガイド溝７０の後端（凹部７０Ａ）、揺動用ガイド溝７４により、電子式ビューファインダー装置１４の第１の突出位置Ｐ１と第２の突出位置Ｐ２との間での揺動をガイドする。
【００２２】
また、図７、図９に示すように、左右の側板部７８Ｂの中間部に、凸部７６Ｄに係合可能な第１係合孔８０Ａが形成されている。
また、左右の側板部７８Ｂの後部に、凸部７６Ｄに係合可能な第２係合孔８０Ｂと第３係合孔８０Ｃが上下に間隔をおいて形成されている。
なお、側板部７８Ｂの内面で第１係合孔８０Ａの後方の箇所から後方に凹溝８２が延在形成され、この凹溝８２はその後端から上方に延在し、第２係合孔８０Ｂと第３係合孔８０Ｃは凹溝８２の底面（左右の側板部７８Ｂの面）に形成されている。
なお、凸部７６Ｄと、第１係合孔８０Ａ、第２係合孔８０Ｂ、第３係合孔８０Ｃにより電子式ビューファインダー装置１４を収容位置Ｐ０と第１の突出位置Ｐ１と第２の突出位置Ｐ２とで係止保持するクリック機構が構成されている。
【００２３】
なお、図１１に示すように、電源スイッチ５４（図５）は、電子式ビューファインダー装置１４の収容位置Ｐ０でビューファインダー用ケース６２の前部６２Ａの前端面により押圧されてオフされるように構成されている。また、電源スイッチ５４は、図１２に示すように、電子式ビューファインダー装置１４の第１の突出位置Ｐ１で前記押圧が解除されてオンされるように構成されている。
また、電源スイッチ５４は、図１２、図１３に示すように、電子式ビューファインダー装置１４の第１の突出位置Ｐ１と第２の突出位置Ｐ２との間で揺動されてもオンされた状態が維持されるように構成されている。
【００２４】
次に、電子式ビューファインダー装置１４の組み立ておよび筐体１２に対する組み付けについて説明する。
予め、凹溝８２の底面に潤滑剤（グリス）を塗布する。これにより、凸部７６Ｄの凹溝８２内での摺動の円滑化が図られる。なお、凹溝８２により潤滑剤が該凹溝８２から流出することの防止が図られている。
次に、ビューファインダー用ケース６２の前部６２Ａにフレーム７６を取り付ける。
次いで、前部６２Ａに取り付けられたフレーム７６の左右の側板部７６Ｂを、フレーム７８の左右の側板部７８Ｂの間に挿入する。
そして、図１０に示す上側ガイドピン６６の軸部６６Ａを、フレーム７８の左右の側板部７８Ｂの外側から上側ガイド溝７０を挿通させ、軸部６６Ａの先部をフレーム７６の左右の側板部７６Ｂに取着する。
また、図１０に示す下側ガイドピン６８の軸部６８Ａを、フレーム７８の左右の側板部７８Ｂの外側から下側ガイド溝７２を挿通させ、軸部６８Ａの先部をフレーム７６の左右の側板部７６Ｂに取着する。
これにより、上側ガイドピン６６の軸部６６Ａの基部が上側ガイド溝７０に移動可能に案内され、下側ガイドピン６８の軸部６８Ａの基部が下側ガイド溝７２、揺動用ガイド溝７４に移動可能に案内される。
この状態で、フレーム７８を収容凹部１３に取り付けることで電子式ビューファインダー装置１４が筐体１２に組み付けられる。
したがって、上側ガイドピン６６、下側ガイドピン６８、上側ガイド溝７０、下側ガイド溝７２により、電子式ビューファインダー装置１４が収容位置Ｐ０と第１の突出位置Ｐ１との間で往復直線移動可能にガイドされることになる。
また、電子式ビューファインダー装置１４が第１の突出位置Ｐ１と第２の突出位置Ｐ２との間で往復揺動可能にガイドされることになる。
【００２５】
次に電子式ビューファインダー装置１４の使用方法について説明する。
上側ガイドピン６６が上側ガイド溝７０の前端に位置し、下側ガイドピン６８が下側ガイド溝７２の前端に位置することで、電子式ビューファインダー装置１４は図１に示す収容位置Ｐ０となる。
収容位置Ｐ０では、凸部７６Ｄが第１係合孔８０Ａに係合し、電子式ビューファインダー装置１４は収容位置Ｐ０に係止保持される。
この場合、図１に示すように、ディスプレイパネル２２が閉じられ、かつ、ビューファインダー用ケース６２が収容位置Ｐ０に位置しているので、電源スイッチ５４、５５の双方がオフしており、撮像装置１０の電源はオフとなっている。
また、収容位置Ｐ０では、孔部１３Ａの上方に位置する筐体１２の上面の後端と、ビューファインダー用ケース６２の後部６２Ｂの上面の前端とは、連続した面を形成する。したがって、筐体１２とビューファインダー用ケース６２とがあたかも一体の部材の如くなり、外観性の向上が図られている。
【００２６】
収容位置Ｐ０からビューファインダー用ケース６２を後方に引き出すと、上側ガイドピン６６が上側ガイド溝７０の後端（凹部７０Ａ）に位置し、下側ガイドピン６８が下側ガイド溝７２の後端に位置する。これにより、電子式ビューファインダー装置１４は図２に示す第１の突出位置Ｐ１となる。
第１の突出位置Ｐ１では、凸部７６Ｄが第２係合孔８０Ｂに係合し、電子式ビューファインダー装置１４は第１の突出位置Ｐ１に係止保持される。
この場合、ビューファインダー用ケース６２が第１の突出位置Ｐ１に位置することで、一方の電源スイッチ５４がオンされ、撮像装置１０の電源はオンとなる。
したがって、撮像装置１０を撮影モードに切り換えると、電子式ビューファインダー装置１４を覗いて表示部６０に表示された被写体像を視認しつつ撮影を行うことができる。
また、第１の突出位置Ｐ１では、孔部１３Ａの上方に位置する筐体１２の上面の後端と、ビューファインダー用ケース６２の前部６２Ａの上面との間にビューファインダー用ケース６２の前部６２Ａが位置しており隙間は形成されない。したがって、筐体１２とビューファインダー用ケース６２との隙間を覆う目隠し部材を要することなく、外観性の向上が図られている。
【００２７】
なお、図１に示すように、ビューファインダー用ケース６２が収容位置Ｐ０に位置した状態でディスプレイパネル２２を開くと、他方の電源スイッチ５５がオンされ、コントロール回路４４により撮像装置１０の電源がオンとなる。
したがって、撮影者は、ディスプレイパネル２２を見ることで表示部６０に表示された被写体像を視認することができる。
【００２８】
第１の突出位置Ｐ１からビューファインダー用ケース６２を上方に揺動すると、上側ガイドピン６６が上側ガイド溝７０の後端（凹部７０Ａ）に位置した状態で、下側ガイドピン６８が揺動ガイド溝７４の上端に位置する。これにより、電子式ビューファインダー装置１４は図３に示す第２の突出位置Ｐ２となる。
この際、上側ガイドピン６６が上側ガイド溝７０の凹部７０Ａに係止することで、上側ガイドピン６６の位置が安定するため、ビューファインダー用ケース６２の揺動を円滑に行うことができ、操作性の向上を図る上で有利となっている。
第２の突出位置Ｐ２では、凸部７６Ｄが第３係合孔８０Ｃに係合し、電子式ビューファインダー装置１４は第２の突出位置Ｐ２に係止保持される。
この場合も、ビューファインダー用ケース６２が第２の突出位置Ｐ２に位置することで、一方の電源スイッチ５４がオンされた状態が維持され、撮像装置１０の電源はオンとなっている。
したがって、電子式ビューファインダー装置１４を覗いて表示部６０に表示された被写体像を視認しつつ撮影を行うことができる。
また、第２の突出位置Ｐ２においても、孔部１３Ａの上方に位置する筐体１２の上面の後端と、ビューファインダー用ケース６２の前部６２Ａの上面との間にはビューファインダー用ケース６２の前部６２Ａが位置しており隙間は形成されない。したがって、筐体１２とビューファインダー用ケース６２との隙間を覆う目隠し部材を要することなく、外観性の向上が図られている。
【００２９】
また、電子式ビューファインダー装置１４の第２の突出位置Ｐ２では、撮影者は、目の高さよりも低い位置に撮影装置１０を位置させた状態で、言い換えると、ローアングルでの撮影を行うことが可能となる。
被写体が幼児や動物などである場合、視線を撮像光学系１６に向けさせることがよい表情を撮影する上で重要である。
したがって、ビューファインダー用ケース６２を第２の突出位置Ｐ２とすることで、撮像光学系１６をより低い位置に向けることができ、幼児や動物などの視線を撮像光学系１６に向けさせた状態での撮影を行う上で有利となる。
【００３０】
また、図４に示すように、ビューファインダー用ケース６２を第２の突出位置Ｐ２に位置させ、かつ、ディスプレイパネル２２の表示面２２０２を前方の被写体に向けることができる。
この場合、撮影者は、ビューファインダー用ケース６２を覗くことで被写体を視認することができることは無論のこと、被写体となった人は、表示面２２０２を視認することで自分がどのような表情や姿で撮影されているかを知ることができる。
したがって、被写体となった人は自分の表情や姿を意識することができ、よりよい表情やポーズで撮影を行うことができる。
この場合、ビューファインダー用ケース６２を第１の突出位置Ｐ１に位置させてもよいことは無論である。
【００３１】
本実施の形態によれば、電子式ビューファインダー装置１４が、収容位置Ｐ０から第１の突出位置Ｐ１に引き出された状態でのみ電子式ビューファインダー装置１４が第１の突出位置Ｐ１と第２の突出位置Ｐ２との間で上下に揺動するように構成されている。
したがって、電子式ビューファインダー装置１４の支持機構６４の構造を簡素化でき、撮像装置１０のコスト低減および小型化を図る上で有利となる。
【００３２】
また、本実施の形態によれば、電子式ビューファインダー装置１４が収容位置Ｐ０、第１、第２の突出位置Ｐ１、Ｐ２の何れの位置にあっても、筐体１２の収容凹部１３とビューファインダー用ケース６２との間に隙間が形成されず、外観性の向上が図られている。
特に、従来の撮像装置では、電子式ビューファインダー装置を前方位置および後方位置の双方においても上下に揺動可能に支持する構成となっている。
そのため、電子式ビューファインダー装置を前方位置から後方位置にスライドさせることにより筐体と電子式ビューファインダー装置との間に形成される隙間を、電子式ビューファインダー装置のスライド動作に追従して覆う可動式の目隠し部材を設ける必要がある。
本実施の形態では、そのような可動式の目隠し部材を設ける必要がないため、外観性の向上を図りつつコスト低減および小型化を図る上でより有利となる。
【００３３】
また、本実施の形態では、支持機構６４が、上側ガイドピン６６と、下側ガイドピン６８と、上側ガイド溝７０と、下側ガイド溝７２と、揺動用ガイド溝７４といった簡単な構造で構成されている。
これに対して従来装置は、電子式ビューファインダー装置を前方位置および後方位置の双方においても上下に揺動可能に支持する。したがって、ビューファインダー用ケースを前方位置と後方位置との間で移動可能に支持する構造と、ビューファインダー用ケースを上下に揺動可能に支持する構造とを別々に構成しなければならない。
したがって、本実施の形態では、従来装置に比較して、支持機構６４の構成の簡素化を図れ、部品点数を削減できコスト低減および小型化を図る上でより有利となる。
【００３４】
また、本実施の形態では、ビューファインダー用ケース６２を第１の突出位置Ｐ１に位置させることで撮像装置１０の電源がオンされ、ビューファインダー用ケース６２を収容位置Ｐ０に位置させることで電源がオフされる。
したがって、電子式ビューファインダー装置１４の使用開始に連動して撮像装置１０の電源をオンでき、また、電子式ビューファインダー装置１４の使用終了に連動して撮像装置１０の電源をオフできるため、撮影時の操作性の向上を図る上で有利となる。
【００３５】
また、前記光学系の焦点距離を調整するための不図示の視度調整用レバーをビューファインダー用ケース６２の下面に形成することで視度調整用レバーの操作性を確保しつつ小型化を図る上で有利となる。
すなわち、図３に示すように、筐体１２後面箇所にバッテリー２が装脱されるバッテリー装着部１５が設けられ、このバッテリー装着部１５に、前後方向に寸法が大きなバッテリー２を装着された撮像装置１０を想定する。
この場合、ビューファインダー用ケース６２を第２の突出位置Ｐ２に位置させれば、前記視度調整用レバーとバッテリー２の上面との間に前記視度調整用レバーを操作するに足る空間を確保することができる。
ここで、視度調整用レバーをビューファインダー用ケース６２の左右の側面に設けた場合には、ビューファインダー用ケース６２の左右方向の寸法の縮小を図る上で不利がある。
これに対して、上述のように視度調整用レバーをビューファインダー用ケース６２の下面に設けると、視度調整用レバーの操作性を確保しつつビューファインダー用ケース６２の左右方向の寸法の縮小を図る上で有利となる。
【００３６】
なお、本実施の形態では、クリック機構によって電子式ビューファインダー装置１４の収容位置Ｐ０と第１の突出位置Ｐ１と第２の突出位置Ｐ２との３つの位置でクリック感を得られるように、第１乃至第３係合孔８０Ａ、８０Ｂ、８０Ｃの３つの孔を設けた。
しかしながら、収容位置Ｐ０と第１の突出位置Ｐ１との間で１箇所以上クリック感を得られるように、あるいは、第１の突出位置Ｐ１と第２の突出位置Ｐ２との間で１箇所以上クリック感を得られるように、係合孔を追加して設けてもよい。
【図面の簡単な説明】
【００３７】
【図１】電子式ビューファインダー装置１４が収容位置Ｐ０にある実施の形態の撮像装置１０を示す斜視図である。
【図２】電子式ビューファインダー装置１４が第１の突出位置Ｐ１にある実施の形態の撮像装置１０を示す斜視図である。
【図３】電子式ビューファインダー装置１４が第２の突出位置Ｐ２にある実施の形態の撮像装置１０を示す斜視図である。
【図４】電子式ビューファインダー装置１４が第２の突出位置Ｐ２にある状態でディスプレイパネル２２の表示面２２０２を被写体側に向けた撮影状態を示す斜視図である。
【図５】撮像装置１０の制御系の構成を示すブロック図である。
【図６】ビューファインダー用ケース６２および支持機構６４の分解斜視図である。
【図７】支持機構６４の分解斜視図である。
【図８】フレーム７６の斜視図である。
【図９】フレーム７８の斜視図である。
【図１０】上側ガイドピン６６、下側ガイドピン６８の斜視図である。
【図１１】収容位置Ｐ０におけるビューファインダー用ケース６２の斜視図である。
【図１２】第１の突出位置Ｐ１におけるビューファインダー用ケース６２の斜視図である。
【図１３】第２の突出位置Ｐ２におけるビューファインダー用ケース６２の斜視図である。
【符号の説明】
【００３８】
１０……撮像装置、１２……筐体、１３……収容凹部、１４……電子式ビューファインダー装置、６４……支持機構、Ｐ０……収容位置、Ｐ１……第１の突出位置、Ｐ２……第２の突出位置。
【図１】
2010109454.tif 000003
【図２】
2010109454.tif 000004
【図３】
2010109454.tif 000005
【図４】
2010109454.tif 000006
【図５】
2010109454.tif 000007
【図６】
2010109454.tif 000008
【図７】
2010109454.tif 000009
【図８】
2010109454.tif 000010
【図９】
2010109454.tif 000011
【図１０】
2010109454.tif 000012
【図１１】
2010109454.tif 000013
【図１２】
2010109454.tif 000014
【図１３】
2010109454.tif 000015